(57)【要約】【課題】  左右の支持脚の開止めリンクの取付面同士が略平行になっていなくても、左右の支持脚を簡単かつスムーズに開閉することができる作業台を提供する。【解決手段】  左右の支持脚２の上部に、ガイド溝１６を有するガイド板１７がそれぞれ取り付けられ、開止めリンク１４の左右両端部に、左右ガイド板１７のガイド溝１６に摺動自在に挿通された摺動体１９がそれぞれ設けられ、左右のガイド溝１６は上方に向かうに従って徐々に大きく離間するように互いに逆方向に傾斜され、左右の支持脚２が開閉する際に開止めリンク１４が略水平状態で上下移動すべく、摺動体１９がガイド溝１６をその溝長手方向に長い範囲で接触しながら摺動するように構成されている。【選択図】図１
2015148057.tif 000002
【特許請求の範囲】
【請求項１】
左右一対の支持脚（２）が上部側で開脚姿勢（Ｘ）と閉脚姿勢（Ｙ）とに開閉自在に連結され、左右の支持脚（２）を開脚姿勢（Ｘ）に保持する開止めリンク（１４）が具備された作業台であって、
左右の支持脚（２）の上部に、ガイド溝（１６）を有するガイド板（１７）がそれぞれ取り付けられ、開止めリンク（１４）の左右両端部に、左右ガイド板（１７）のガイド溝（１６）に摺動自在に挿通された摺動体（１９）がそれぞれ設けられ、
開止めリンク（１４）が水平状態に上方移動したときに左右の支持脚（２）を閉脚姿勢（Ｙ）に保持し、開止めリンク（１４）が水平状態に下方移動したときに左右の支持脚（２）を開脚姿勢（Ｘ）に保持すべく、左右のガイド溝（１６）は上方に向かうに従って徐々に大きく離間するように互いに逆方向に傾斜され、
左右の支持脚（２）が開閉する際に開止めリンク（１４）が略水平状態で上下移動すべく、摺動体（１９）がガイド溝（１６）をその溝長手方向に長い範囲で接触しながら摺動するように構成されていることを特徴とする作業台。
【請求項２】
前記左右の摺動体（１９）は、それぞれガイド溝（１６）に摺動自在に挿通された２本のガイドピン（２０）又は１つの摺動子により構成され、これらはガイド溝（１６）の長手方向に長い範囲で接触するように配置されていることを特徴とする請求項１に記載の作業台。
【請求項３】
前記ガイド溝（１６）の下部に、左右支持脚（２）を開脚姿勢（Ｘ）にロックすべく摺動体（１９）を係脱自在に係止する係止凹部（２４）が形成されていることを特徴とする請求項１又は２に記載の作業台。
【請求項４】
前記左右のガイド溝（１６）は、上方に曲率中心を有する円弧形状であって上方に向かうに従って徐々に大きく離間するように互いに線対称に配置されていることを特徴とする請求項１〜３のいずれかに記載の作業台。
【請求項５】
ガイド板（１７）は左右支持脚（２）の上部の外側面に沿って配置され、開止めリンク（１４）は板状に形成されて、左右ガイド板（１７）の外側面に沿って配置されており、左右のガイド板（１７）及び開止めリンク（１４）を外側方から覆う保護カバー（３８）が左右の支持脚（２）にそれぞれ装着されていることを特徴とする請求項１〜４のいずれかに記載の作業台。
【発明の詳細な説明】
【技術分野】
【０００１】
本発明は、左右の支持脚が開脚姿勢と閉脚姿勢とに開閉自在とされた踏み台や脚立等の作業台に関するものである。
【背景技術】
【０００２】
踏み台や脚立等の作業台には、左右一対の支持脚が上部側で開脚姿勢と閉脚姿勢とに開閉自在に連結され、左右の支持脚を開脚姿勢に保持する開止めリンクが具備されたものがある。
この種の従来の作業台には、左右の支持脚の上部に、左右のアームの基部がそれぞれ横軸廻りに回動自在に枢支され、左右アームの先端部に開止めリンクが連結されたものがあり、この場合、左右のアームが横軸廻りに上向きに回動して開止めリンクが水平状態に上方移動したときに左右の支持脚を閉脚姿勢にし、左右のアームが横軸廻りに左右内きに回動して開止めリンクが水平状態に下方移動したときに左右の支持脚を開脚姿勢に保持するようになっている（例えば特許文献１）。なお、ここで、水平状態の水平とは、前記横軸から左右の支持脚間を通るように降ろした垂線に直交する左右方向をいう。
【先行技術文献】
【特許文献】
【０００３】
【特許文献１】特開２０１０−２６１２４２号公報
【発明の概要】
【発明が解決しようとする課題】
【０００４】
しかし、従来の場合、左右の支持脚の開止めリンクの取付面同士である左右の支持脚と左右アームとの締結面同士が略平行になっていなければ、左右支持脚のスムーズな開閉は成り立たなくなるという問題があった。
即ち、左右の支持脚の開止めリンクの取付面同士が略平行になっていなければ、支持脚をスムーズに開閉させるためには、左右アームの回動によって開止めリンクを略水平に保持しながら上下動させる必要が生じるが、支持脚を開閉する際に、左右のアームを互いに逆方向に同時に略等しい角度で回動させることは困難であり、支持脚のスムーズな開閉ができなくなった。
【０００５】
本発明は上記問題点に鑑み、左右の支持脚の開止めリンクの取付面同士が略平行になっていなくても、左右の支持脚を簡単かつスムーズに開閉することができる作業台を提供することを目的としている。
【課題を解決するための手段】
【０００６】
本発明における課題解決のための具体的手段は、次の通りである。
この技術的課題を解決する本発明の技術的手段は、左右一対の支持脚２が上部側で開脚姿勢Ｘと閉脚姿勢Ｙとに開閉自在に連結され、左右の支持脚２を開脚姿勢Ｘに保持する開止めリンク１４が具備された作業台であって、
左右の支持脚２の上部に、ガイド溝１６を有するガイド板１７がそれぞれ取り付けられ、開止めリンク１４の左右両端部に、左右ガイド板１７のガイド溝１６に摺動自在に挿通された摺動体１９がそれぞれ設けられ、
開止めリンク１４が水平状態に上方移動したときに左右の支持脚２を閉脚姿勢Ｙに保持し、開止めリンク１４が水平状態に下方移動したときに左右の支持脚２を開脚姿勢Ｘに保持すべく、左右のガイド溝１６は上方に向かうに従って徐々に大きく離間するように互いに逆方向に傾斜され、
左右の支持脚２が開閉する際に開止めリンク１４が略水平状態で上下移動すべく、摺動体１９がガイド溝１６をその溝長手方向に長い範囲で接触しながら摺動するように構成されている点にある。
【０００７】
また、本発明の他の技術的手段は、前記左右の摺動体１９は、それぞれガイド溝１６に摺動自在に挿通された２本のガイドピン２０又は１つの摺動子により構成され、これらはガイド溝１６の長手方向に長い範囲で接触するように配置されている点にある。
また、本発明の他の技術的手段は、前記ガイド溝１６の下部に、左右支持脚２を開脚姿勢Ｘにロックすべく摺動体１９を係脱自在に係止する係止凹部２４が形成されている点にある。
【０００８】
また、本発明の他の技術的手段は、前記左右のガイド溝１６は、上方に曲率中心を有する円弧形状であって上方に向かうに従って徐々に大きく離間するように互いに線対称に配置されている点にある。
また、本発明の他の技術的手段は、ガイド板１７は左右支持脚２の上部の外側面に沿って配置され、開止めリンク１４は板状に形成されて、左右ガイド板１７の外側面に沿って配置されており、左右のガイド板１７及び開止めリンク１４を外側方から覆う保護カバー３８が左右の支持脚２にそれぞれ装着されている点にある。
【発明の効果】
【０００９】
本発明によれば、左右の支持脚が開閉する際には、摺動体がガイド溝に対して長い範囲で接触するので、開止めリンクを略水平状態に拘束しながらガイド溝に対して上下動するように作用し、また、開止めリンクが水平状態に対して傾斜すると、開止めリンクの一端部の摺動体と他端部の摺動体とが互いに開止めリンクの傾斜を是正するように作用し合うため、開止めリンクを手で水平状態に保持しなくても、開止めリンクが略水平状態で上下移動する。従って、左右の支持脚の開止めリンクの取付面同士が略平行になってなくても、左右の支持脚を簡単かつスムーズに開閉することができる。
【図面の簡単な説明】
【００１０】
【図１】本発明の一実施形態を示す閉脚姿勢の踏み台上部の正面図である。
【図２】同開脚姿勢の踏み台上部の正面図である。
【図３】図１のＡ−Ａ線断面図である。
【図４】図２のＢ−Ｂ線断面図である。
【図５】閉脚姿勢の踏み台の正面図である。
【図６】閉脚姿勢の踏み台の斜視図である。
【図７】踏み台の正面図である。
【図８】踏み台の側面図である。
【図９】踏み台の平面図である。
【図１０】踏み台の底面図である。
【発明を実施するための形態】
【００１１】
以下、本発明の実施の形態を図面に基づいて説明する。
図１〜図１０は本発明の一実施形態を示している。図５〜図１０において、作業台である踏み台１は、左右一対の支持脚２を備え、各支持脚２は前後一対の支柱５と前後支柱５の上部を連結する天板６と前後支柱５の中途部を連結する踏桟７とを有している。
左右支持脚２の上部（天板６）の前後両側に連結アーム９が左右方向内方に突設され、連結アーム９同士が前後方向のヒンジ軸１０廻りに揺動自在に連結され、これにより左右の支持脚２が上部側で開脚姿勢Ｘと閉脚姿勢Ｙとに開閉自在に連結されている。
【００１２】
図１〜図６において、左右の支持脚２の前後支柱５は、アルミ合金等により形成され、前後の板壁５ａと板壁５ａの左右両端部から前後方向の外方に突出した外リブ壁５ｂと内リブ壁５ｃとを一体に有し、左右に対応する支柱５同士（左右に対応する支持脚２の外側部同士）は、互いに平行ではなく平面視でハの字状に傾斜している。
踏み台１の上部に左右の支持脚２を開脚姿勢Ｘに保持する開止めリンク１４が具備され、左右の支持脚２の上部に、ガイド溝１６を有するガイド板１７がそれぞれ取り付けられている。
【００１３】
開止めリンク１４は踏み台１の上部の前後両側に１つずつ設けられ、板状に形成されて、左右支持脚２（左右支柱５）の上部の外側面に沿うように平面視でＶ字状に屈曲され、後述する左右ガイド板１７の外側面に沿って配置されている。
開止めリンク１４の左右両端部に肉薄になった連結部１４ａが設けられ、これら連結部１４ａに左右ガイド板１７のガイド溝１６に摺動自在に挿通された摺動体１９がそれぞれ設けられている。
【００１４】
前記左右の摺動体１９は、それぞれガイド溝１６に摺動自在に挿通された２本のガイドピン２０により構成され、２本のガイドピン２０はガイド溝１６の長手方向に互いに離間して配置されている。これにより、左右の支持脚２が開閉する際に開止めリンク１４が略水平状態で上下移動すべく、摺動体１９がガイド溝１６をその溝長手方向に長い範囲で接触しながら摺動するように構成されている。
【００１５】
ここで、水平状態の水平とは、図１及び図２に示すようにヒンジ軸１０から左右の支持脚２間を通るように降ろした垂線Ａに直交する左右方向をいう。
ガイド板１７は左右支持脚２（左右支柱５）の前後方向両側の外側面にそれぞれ設けられており、支持脚２の上部に合計で４枚取り付けられている。各ガイド板１７はガイド溝１６が形成された板本体１７ａと、板本体１７ａの左右両端部に突設された外取付片１７ｂ及び内取付片１７ｃと、板本体１７ａの上端部に突設された上取付片１７ｄとを有している。
【００１６】
各ガイド板１７の板本体１７ａは支柱５の板壁５ａの外面に沿って配置され、外取付片１７ｂは外リブ壁５ｂに重合されて締結具２２により締め付け固定され、内取付片１７ｃは内リブ壁５ｃに重合されて締結具２２により締め付け固定され、上取付片１７ｄは連結アーム９の下リブ壁９ａに重合されて締結具２２により締め付け固定され、これによりガイド板１７は左右支持脚２（左右支柱５）の外側面に沿って配置固定されている。
【００１７】
左右ガイド板１７に設けられた左右のガイド溝１６は、互いに他方のガイド板１７の上方に曲率中心を有する円弧形状であって上方に向かうに従って徐々に大きく離間するように互いに線対称に配置されている。従って、左右のガイド溝１６は上方に向かうに従って徐々に大きく離間するように互いに逆方向に傾斜されており、開止めリンク１４が水平状態に上方移動したときに左右の支持脚２を閉脚姿勢Ｙに保持し、開止めリンク１４が水平状態に下方移動したときに左右の支持脚２を開脚姿勢Ｘに保持すべく構成されている。
【００１８】
前記ガイド溝１６の下部に、左右支持脚２を開脚姿勢Ｘにロックすべく摺動体１９（２本のガイドピン２０）を係脱自在に係合する係止凹部２４が下方に向けて没入形成されている。
図３及び図４に示すように、開止めリンク１４の端部（連結部１４ａ）の後側に２本のガイドピン２０を連結する第１連結板２７と第２連結板２８とが設けられている。第１連結板２７はガイド板１７の前後方向の内側に配置され、第２連結板２８はガイド板１７の前後方向の外側に配置され、第１連結板２７と第２連結板２８とでガイド板１７を前後に挟んでいる。第１連結板２７及び第２連結板２８には互いに離間した２つの挿通孔２９，３０がそれぞれ形成されている。
【００１９】
開止めリンク１４の連結部１４ａはガイド板１７及び第２連結板２８の前後方向の外側に配置され、それぞれに２つの取付孔３１がガイド溝１６の長手方向に互いに離間して形成されている。
２本のガイドピン２０は平中空リベット等により構成され、ピン軸部２０ａとピン軸部２０ａの一端側の頭部２０ｂと他端側の潰してなる抜止部２０ｃとを有し、ピン軸部２０ａに円筒状のカラー３３が外嵌されている。ガイドピン２０はカラー３３を介して開止めリンク１４の取付孔３１に挿通されると共に、ガイド板１７のガイド溝１６に摺動自在に挿通されている。
【００２０】
また、２本のガイドピン２０は第１連結板２７の挿通孔２９に挿通されると共に、第２連結板２８の挿通孔３０にカラー３３を介してそれぞれ挿通され、これにより２本のガイドピン２０が第１連結板２７と第２連結板２８とによってガイド溝１６の長手方向に離間した状態で互いにガタ付かないように連結されて、水平に保持されている。
２本のガイドピン２０のピン軸部２０ａの抜止部２０ｃ側にそれぞれ座金３５が外嵌されており、ガイドピン２０は抜止部２０ｃによって座金３５を介して開止めリンク１４に対して抜け止めされ、頭部２０ｂによって第１連結板２７に対して抜け止めされている。
【００２１】
左右支持脚２の天板６の前後両側を覆う上保護カバー３７が連結アーム９に装着されている。上保護カバー３７の下方に左右支持脚２の支柱５を外側方から覆う下保護カバー３８が各支柱５にそれぞれ装着され、下保護カバー３８の上部で左右のガイド板１７及び開
止めリンク１４を外側方から覆っている。
上記実施形態によれば、左右の支持脚２が閉脚姿勢Ｙのとき、図１、図５及び図６に示すように、２本のガイドピン２０がガイド溝１６の上部に摺動し、開止めリンク１４が水平状態で上方移動している。
【００２２】
この閉脚姿勢Ｙから左右の支持脚２を開脚姿勢Ｘに変更する場合、左右の支持脚２をヒンジ軸１０廻りに揺動して開脚していくと、開止めリンク１４の両端部の２本のガイドピン２０がそれぞれガイド溝１６を溝長手方向の下側に摺動して、開止めリンク１４が下方に移動する。
このとき、２本のガイドピン２０がガイド溝１６に対して２点（長い範囲）で接触するので、開止めリンク１４を略水平状態に拘束しながらガイド溝１６に対して押し下げるように作用し、また、開止めリンク１４が水平状態に対して傾斜すると、開止めリンク１４の一端部の２つのガイドピン２０と他端部の２つのガイドピン２０とが互いに開止めリンク１４の傾斜を是正するように作用し合うため、開止めリンク１４を手で水平状態に保持しなくても、開止めリンク１４が略水平状態で下方移動して、左右の支持脚２を簡単かつスムーズに開脚することができる。
【００２３】
そして、最後には、図２に示すように、２本のガイドピン２０が係止凹部２４に係合し、左右の支持脚２が開脚姿勢Ｘに保持される。このとき、開止めリンク１４が自重によって下方移動しようとするので、２本のガイドピン２０が係止凹部２４に係合保持されるため、左右支持脚２を開脚姿勢Ｘにロックすることができ、左右支持脚２が不測に閉じるのを防止して開脚姿勢Ｘに安定に保持することができる。
【００２４】
左右の支持脚２を開脚姿勢Ｘから閉脚姿勢Ｙに変更する場合、開止めリンク１４をやや水平に持ち上げて、２本のガイドピン２０を係止凹部２４から上方に外し、この状態で左右の支持脚２をヒンジ軸１０廻りに揺動して閉脚していくと、開止めリンク１４の両端部の２本のガイドピン２０がそれぞれガイド溝１６を溝長手方向の上側に摺動して、開止めリンク１４が上方に移動する。
【００２５】
このときにも、２本のガイドピン２０がガイド溝１６に対して２点（長い範囲）で接触するので、開止めリンク１４を略水平状態に拘束しながらガイド溝１６に対して押し上げるように作用し、また、開止めリンク１４が水平状態に対して傾斜すると、開止めリンク１４の一端部の２つのガイドピン２０と他端部の２つのガイドピン２０とが互いに開止めリンク１４の傾斜を是正するように作用し合うため、開止めリンク１４を手で水平状態に保持しなくも、開止めリンク１４が略水平状態で上方移動して、左右の支持脚２を簡単かつスムーズに閉脚することができる。
【００２６】
従って、左右の支持脚２（支柱５）の開止めリンク１４の取付面同士が略平行である必要がなくなり、例えば、左右に対応する支柱５同士が、互いに平行ではなく平面視でハの字状に傾斜していても、左右の支持脚２を簡単かつスムーズに開閉することができる。また、このため、左右の支持脚２（支柱５）の断面形状を作業台の機能目的やニーズに合わせて自由に選択設計することが可能になる。
【００２７】
また、本実施形態では、左右の摺動体１９を、それぞれ２本のガイドピン２０によってガイド溝１６をその溝長手方向に長い範囲で接触しながら摺動するように簡単に構成することができ、摺動体１９をリベット等を利用して製造容易でかつ安価に製造することができる。
また、ガイド板１７は左右支持脚２（左右支柱５）の上部の外側面に沿って配置され、開止めリンク１４は板状に形成されて、左右ガイド板１７の外側面に沿って配置されているので、左右のガイド板１７及び開止めリンク１４を左右支持脚２の外側面に大きな突起部分もなく薄くコンパクトに配置することができる。しかも、下保護カバー３８で左右のガイド板１７及び開止めリンク１４を外部から見えないように隠すことができ、踏み台１の外観上の体裁をよいものになし得る。
【００２８】
なお、前記実施形態では、左右の摺動体１９は、それぞれガイド溝１６に摺動自在に挿通された２本のガイドピン２０により構成されているが、左右の摺動体１９はこのような構成のものに限定されず、ガイド溝１６をその溝長手方向に長い範囲で接触しながら摺動
する構造のものであればよく、例えば左右の摺動体１９をガイド溝１６の長手方向に長い楕円形状又は長円形状の１つの摺動子で構成するようにしてもよい。
【００２９】
また、前記実施形態では、左右のガイド溝１６は、互いに線対称となる円弧状に形成されているが、これに代え、左右のガイド溝１６は上方に向かうに従って徐々に大きく離間するように互いに逆方向に傾斜された直線に近い曲線状に形成するようにしてもよい。
また、本発明が適用される作業台は踏み台１に限定されず、踏み台１以外の脚立や梯子その他であってもよい。
【符号の説明】
【００３０】
１      踏み台
２      支持脚
１４    開止めリンク
１６    ガイド溝
１７    ガイド板
１９    摺動体
２０    ガイドピン
２４    係止凹部
３８    下保護カバー
【図１】
2015148057.tif 000003
【図２】
2015148057.tif 000004
【図３】
2015148057.tif 000005
【図４】
2015148057.tif 000006
【図５】
2015148057.tif 000007
【図６】
2015148057.tif 000008
【図７】
2015148057.tif 000009
【図８】
2015148057.tif 000010
【図９】
2015148057.tif 000011
【図１０】
2015148057.tif 000012